(57)【要約】【課題】番組を構成する映像ではない映像のみが表示された状態になることを抑制する。【解決手段】映像を表示するための映像信号を出力する信号出力方法であって、チャンネルの変更を指示する信号に応じて、チャンネルを選択する選択工程と、該選択工程で選択されたチャンネルの映像が番組を構成する映像ではない映像である場合に、前記選択されたチャンネルで出力されている番組もしくは前記選択されたチャンネルで出力される予定の番組に関する情報を含む他の映像を表示するための映像信号を出力する出力工程と、を有しており、前記選択工程で選択されるチャンネルは、前記選択工程を実行するデバイスを有する装置の使用履歴に関する情報に基づいて決定される。【選択図】図１１
2005210686.tif 000002
【特許請求の範囲】
【請求項１】
映像を表示するための映像信号を出力する信号出力方法であって、
チャンネルの変更を指示する信号に応じて、チャンネルを選択する選択工程と、
該選択工程で選択されたチャンネルの映像が番組を構成する映像ではない映像である場合に、前記選択されたチャンネルで出力されている番組もしくは前記選択されたチャンネルで出力される予定の番組に関する情報を含む他の映像を表示するための映像信号を出力する出力工程と、
を有しており、
前記選択工程で選択されるチャンネルは、前記選択工程を実行するデバイスを有する装置の使用履歴に関する情報に基づいて決定される
ことを特徴とする信号出力方法。
【請求項２】
前記他の映像は、前記選択されたチャンネルで出力されている番組を予め録画しておいた映像である
ことを特徴とする請求項１に記載の信号出力方法。
【請求項３】
前記番組を構成する映像ではない映像は、コマーシャルメッセージの映像、放映不能を示す映像、テストパターンのいずれかである
ことを特徴とする請求項１または２に記載の信号出力方法。
【請求項４】
前記出力工程では、前記選択されたチャンネルの映像が番組を構成する映像のときに該映像が表示される表示領域と同じ表示領域の少なくとも一部に、前記他の映像を表示するような映像信号が出力される
ことを特徴とする請求項１〜３のいずれかに記載の信号出力方法。
【請求項５】
チャンネルの変更を指示する信号を受信する受信回路と、
前記受信回路によって前記信号が受信されたのに応じて、このチャンネル選択装置の使用履歴に基づいてチャンネルを選択するチャンネル選択回路と、
前記選択されたチャンネルの映像が番組を構成する映像ではない映像である場合に、前記選択されたチャンネルで出力されている番組もしくは前記選択されたチャンネルで出力される予定の番組に関する情報を含む他の映像を表示するための映像信号を出力する出力回路と、
を備えることを特徴とするチャンネル選択装置。
【請求項６】
前記選択されたチャンネルで出力されている番組もしくは前記選択されたチャンネルで出力される予定の番組に関する情報を保持する番組関連情報保持部をさらに備える
ことを特徴とする請求項５に記載のチャンネル選択装置。
【請求項７】
番組の映像を録画する録画部をさらに備え、
前記他の映像は、前記選択されたチャンネルで出力されている番組を予め録画しておいた映像である
ことを特徴とする請求項５または６に記載のチャンネル選択装置。
【請求項８】
映像を表示するための映像信号を出力するためのプログラムであって、
チャンネル選択装置の使用履歴に基づいてチャンネルを選択するステップと、
選択されたチャンネルの映像が、番組を構成する映像ではない映像であることを特定するステップと、
前記選択されたチャンネルの映像が、番組を構成する映像ではない映像である場合に、前記選択されたチャンネルで出力されている番組もしくは前記選択されたチャンネルで出
力される予定の番組に関する情報を含む他の映像を表示するための映像信号を出力することを指定するステップと、
を実行することを特徴とするプログラム。
【請求項９】
信号経路を選択して該信号経路を介して受信した信号に基づく映像を表示する表示方法であって、
選択した信号経路を介して受信した信号が、所定の番組の表示を行うための信号の直前もしくは途中に挿入された非番組映像を表示するための信号である場合に、前記所定の番組の内容の把握を補助することができる補助情報を表示する工程を有する
ことを特徴とする表示方法。
【請求項１０】
前記工程は、選択した信号経路を介して受信した信号が非番組映像を表示するための信号であるか否かを判別する判別工程を含む
ことを特徴とする請求項９に記載の表示方法。
【発明の詳細な説明】
【技術分野】
【０００１】
本発明は、ユーザの嗜好情報に基づきチャンネルの選択を行う技術に関する。
【背景技術】
【０００２】
視聴者が現在放映中の番組群から所望の番組を探索する場合、最も慣れ親み、かつ使用頻度も高い方法として、リモコンのＵｐ／Ｄｏｗｎキーやテンキーを用いてチャンネルを選局し、直接番組を視聴しながら探す方法がある。Ｕｐ／Ｄｏｗｎキーによる選局では、探索順序はチャンネル順となる。テンキーによる選局では、テンキー毎にチャンネルが割り当てられているため、探索順序は、視聴者のテンキーの選択順となる。視聴者は、上記いずれかの方法を用いて所望の番組の探索を行うこととなる（以下、表示する番組を切り替えながら所望の番組の探索を行う操作をザッピングと呼ぶ）。
【０００３】
近年、放送のデジタル化により、視聴可能な番組数が増加している。これは視聴者にとって、興味のある番組数が増えるメリットがある一方で、上記のザッピング操作では、所望の番組を見つけるために煩雑な操作を要する問題が生じている。Ｕｐ／Ｄｏｗｎキーによるザッピングでは、チャンネル数の増加が、そのままザッピングに要する操作工数の増加となる。テンキーによるザッピングでは、キーに割り当てられたチャンネルを選択する分には、従来と同様の操作ができるが、キーに割り当てられていない番組をザッピングする場合は、煩雑な操作が必要となる。番組を探索する方法として、その他にＥＰＧ（電子番組表）がある。ＥＰＧは、簡易のソート機能がついているものも多く、番組の探索に適した面もあるが、文字主体の検索方法であり、従来の映像主体で番組の探索を行ってきた視聴者にとっては、必ずしも使用しやすい方法とは言いがたい。
【０００４】
このような状況の中で、本願発明者は、ユーザ嗜好を反映させたＵｐ／Ｄｏｗｎキーによるザッピング方法を検討してきた。これは視聴者が番組を視聴した履歴情報から視聴者の嗜好を推測し、それをザッピングに利用するものである。具体的には、選択順序をチャンネル順ではなく視聴者の嗜好度の高い番組順にする。もし、この順序が正確に視聴者の嗜好を反映させている場合は、視聴者は従来と同様の操作によって、所望の番組を比較的容易に見つけ出していくことができる。
【０００５】
特許文献１では、多チャンネルの中から、ユーザが所望のチャンネルを効率よく、正確に選択して視聴できるようにすることが課題として挙げられており、その課題を解決する手段として、ユーザの嗜好にあった番組群を表すおすすめ番組表を、時間軸とおすすめ度軸との２次元表現で表示部に表示する技術が開示されている。
【０００６】
特許文献２では、番組視聴中にイベント（コマーシャルメッセージ（ＣＭ）など）を検知すると、履歴情報を参照して最も視聴時間の長いチャンネルに切り替え、切り替えたチャンネルでもイベント（ＣＭ）が検知されたら、さらに次の履歴のチャンネルに切り替える技術が開示されている（同公報の段落２７および図７参照）。
【特許文献１】特開２０００−２５３３２５号公報
【特許文献２】特開２００１−２７５０９０号公報
【発明の開示】
【発明が解決しようとする課題】
【０００７】
使用履歴に基づいてチャンネルを選択するようにしても、選択したチャンネルで搬送されている映像が番組を構成する映像ではなく、番組を構成する映像ではない映像が表示されてしまう場合がある。
【０００８】
本発明は、番組を構成する映像ではない映像のみが表示された状態になることを抑制することを課題とする。
【課題を解決するための手段】
【０００９】
本発明の第１態様は、映像を表示するための映像信号を出力する信号出力方法であって、チャンネルの変更を指示する信号に応じて、チャンネルを選択する選択工程と、該選択工程で選択されたチャンネルの映像が番組を構成する映像ではない映像である場合に、前記選択されたチャンネルで出力されている番組もしくは前記選択されたチャンネルで出力される予定の番組に関する情報を含む他の映像を表示するための映像信号を出力する出力工程と、を有しており、前記選択工程で選択されるチャンネルは、前記選択工程を実行するデバイスを有する装置の使用履歴に関する情報に基づいて決定される。
【発明の効果】
【００１０】
本発明によれば、番組を構成する映像ではない映像のみが表示された状態になることを抑制することができる。
【発明を実施するための最良の形態】
【００１１】
嗜好情報や履歴情報を利用する方法は、多チャンネルの環境下でも従来のザッピング操作で、比較的容易に所望の番組にアクセスするために有効である。一方で、映像主体のザッピング方法では、依然いくつかの課題がある。その一つが、ザッピング時の番組内容の把握が困難なことである。通常、ザッピングは、ある短い期間で複数の番組の視聴を行っていく。例えば、視聴していた番組のＣＭ（コマーシャルメッセージ）放映期間中に、他の番組をチェックするために矢継ぎ早にチャンネルを変えていくというシーンが挙げられる。このような場合、他のチャンネルもＣＭ中であったり、または番組を放送していても、番組内容を把握するのは困難な映像であったりすると、視聴者は、自分にとって興味ある番組なのか、そうでないのかを判断することは困難となる。特に多チャンネルの環境下で、視聴者の嗜好度の高い順にザッピングを行った場合、視聴者は、選局先のチャンネルがどのようなチャンネルなのかあらかじめ認識していないことが想定され、単に映像のみから、その番組が興味あるものなのか、なぜ選局先として選ばれたのか、を判断することは困難となる。
【００１２】
そこで、本願発明者らは、ユーザの嗜好度に関する情報に基づいて決定された順序に従って番組を表示させる場合に、選ばれた番組の内容をより容易に把握できるようにする方法について、鋭意検討を行った。
【００１３】
以下、本発明の実施の形態を、図面を参照して説明する。
【００１４】
（第１の実施の形態）
図１は、本発明の第１の実施の形態に係る受信装置（チャンネル選択装置）１０の構成を示すブロック図である。
【００１５】
本装置は、受信部１０１を介して、デジタル放送、もしくはアナログ放送の受信が可能になっている。受信部１０１によって受信された放送データは、復調された後、分離部１０２に送られる。
【００１６】
分離部１０２は、多重化された前記放送データの分離を行なう。番組を構成する映像や音声などのＡＶストリーム（以下、番組コンテンツ９０１とする）は分離後、復号部１０３に送られる。放送データ中に番組に関する情報（以下、番組関連情報９０２とする）が存在する場合、分離部１０２は、前記情報を前記番組コンテンツ９０１と分離した後、蓄
積部１０７に送る。番組関連情報９０２は、現在、ＢＳデジタル放送データ内に多重化されて送信されるＳＩ（Ｓｅｒｖｉｃｅ  Ｉｎｆｏｒｍａｔｉｏｎ）中に含まれる番組情報と同様の内容を含む他、番組中のシーン毎の関連情報（以下、番組シーン情報とする）も含む。
【００１７】
ここでシーンとは、番組を内容的に意味のある単位毎に区切ったもので、各シーンの長さ（期間）は各々異なる。番組シーン情報は、番組の各シーンに関する情報を保持する。シーンに関する情報には、例えば、各シーンの識別情報、各シーンの開始時間、シーンの長さ（期間）、概要説明、シーンに関するキーワード、関連情報へのリンクなどが含まれる。前記シーンの開始時間や、シーンの長さ（期間）は、時間で指定されることもあれば、映像のフレーム数で指定されることもある。このようなシーン情報は、例えば、番組のシーン検索や、番組のダイジェスト視聴を行うために利用することもできる。更に、番組シーン情報は、各シーンがその番組の内容を写しているか否か、を示す情報を含んでいる。そのため、番組内容を示している映像を含むシーンと、ＣＭ等の番組内容を示していない映像を含むシーンは、区別される。上記で示したこれらの情報は、各番組シーン情報の全てに必須として含まれる必要はない。例えば、サッカーの番組では、ゴールシーンなどの番組のハイライトとなり得るシーンの番組シーン情報では、多くの情報を有するが、それ以外のシーンの番組シーン情報は、比較的少ない情報、もしくは全く情報が含まれないこともありえる。ただし後者の場合であっても、該当するシーンがその番組の内容を写していない場合は、そのことを示す何らかの情報を含んでいるものとする。
【００１８】
通常、一週間程度先までの番組の番組関連情報９０２が蓄積部１０７に蓄積される。この間、番組によっては、番組内容が放送直前まで不確定であるため、番組関連情報９０２、及びそれに含まれる番組シーン情報が、非常に限定されたものになることが想定される。そのため、前記情報は、該当する番組が放送中であっても、随時動的に更新可能となっており、分離部１０２は、番組関連情報９０２内に含まれる更新情報を監視し、前記情報によって更新がなされたことが判明した場合は、蓄積部１０７に蓄積されている更新前の番組関連情報９０２、及びそれに含まれる番組シーン情報の更新を行う。
【００１９】
復号部１０３は、前記分離部１０２によって分離された番組コンテンツ９０１の復号を行ない、そのうちの動画情報を画面合成部１０４に渡す。また同様に、番組コンテンツ９０１中の音声情報を不図示の音声出力部に渡す。画面合成部１０４は、復号部１０３から受け取った前記動画情報と、番組情報合成部１１４から受け取った静止画や文字図形などの情報との合成や切替を行なう。通常のテレビ視聴を行なう場合、画面合成部１０４は、復号部１０３から受け取った番組コンテンツ９０１中の動画情報を表示部１０５に渡す。一方、ＥＰＧの表示や番組の内容を表す情報を表示する場合は、番組情報合成部１１４から取得した静止画や文字図形情報を、前記動画情報の上に合成させて表示部１０５に渡す。表示部１０５は、画面合成部１０４からの合成結果を画面上に出力し、視聴者に提示する。同様に、前記音声出力部も取得した音声情報を動画と同期させて出力する。
【００２０】
蓄積部１０７は、前記番組関連情報９０２を蓄積するほか、後述の視聴者が番組視聴した履歴情報（以下、ユーザ履歴情報９０３とする）の蓄積を行なう。図２に、蓄積部１０７に格納される各種情報と、それを格納する各部との関係を示す。蓄積部１０７は、ハードディスクや半導体メモリを想定しているが、それらに限られない。なお、受信装置１０は、モデム１１３を有している。番組関連情報９０２は、インターネット上の特定のサイトに存在することもあり、その場合、受信装置１０は、前記モデム１１３を介してインターネットに接続し、前記番組関連情報９０２をダウンロードすることもできる。モデム１１３を介して取得した番組関連情報９０２も、蓄積部１０７に蓄積される。
【００２１】
視聴者は、番組を視聴する際の操作手段としてリモコン２０を使用する。リモコン２０
上のキーの構成例を図３に示す。リモコン２０は、構成として、電源キー、テンキー、音量調節のためのキー、そして、Ｕｐ／Ｄｏｗｎキー４０１を少なくとも有する。また、Ｕｐ／Ｄｏｗｎキー４０１押下によるザッピング時の選局順序を、通常のチャンネル番号順か、視聴者の嗜好度の高い順か、いずれかに切り替えるための選局切替キー２０Ａを有する。視聴者のリモコンキー押下によって生じたリモコン情報９０４は、リモコン入力部１１２によって受信される。このリモコン情報９０４が選局に関する情報である場合、リモコン入力部１１２は、前記リモコン情報９０４を選局部１０８に渡す。通常、選局に関する情報とは、リモコン２０に用意されたＵｐ／Ｄｏｗｎキーやテンキーが押された場合の情報を示すが、これに限られない。ＥＰＧを介した選局なども含まれる。選局部１０８は、前記リモコン情報９０４を受け取ると、それに応じた選局制御情報９０７を受信部１０１に出す。受信部１０１は、選局制御情報９０７によって指定されたチャンネルへのチューニングを行なう。この特定のチャンネルへのチューニングは、信号経路の選択及び配信源の選択に相当する。一方、前記リモコン情報９０４は、リモコン入力部１１２を介して、ユーザ履歴判断部１１１にも送られる。ユーザ履歴判断部１１１は、取得したリモコン情報９０４と、蓄積部１０７に蓄積された番組関連情報９０２より、視聴者の番組視聴履歴であるユーザ履歴情報９０３を生成し、蓄積部１０７に蓄積する。
【００２２】
ユーザプロファイル生成部１１０は、ユーザの番組嗜好情報であるユーザプロファイルを生成する。ユーザプロファイルの生成には、視聴者によって入力された番組キーワードなど、あらかじめ受信装置１０に設定されたユーザ嗜好を示す情報を使用するだけでなく、蓄積部１０７に蓄積されている前記ユーザ履歴情報９０３も使用する。
【００２３】
リスト生成部１０９は、ユーザプロファイル、及び蓄積部１０７に蓄積されている番組関連情報９０２を基に、ザッピングリスト９０６を生成する。ザッピングリスト９０６は、特定時間帯に放映される番組群を、視聴者の嗜好度の高い順に並べたリストである。特定時間帯とは、ある番組の放映時間や、ユーザプロファイルの更新間隔を指す。そのため、現在放映中のある一つの番組が終了し、新たな番組が始まるたびに、リスト生成部１０９はザッピングリスト９０６の更新を行なう。また同様に、ユーザプロファイル生成部１１０がユーザプロファイルを更新するたびに、ユーザの嗜好が変化したと見なして、ザッピングリスト９０６の更新を行なう。すなわち、リスト生成部１０９は、ザッピングにおけるチャンネル選択順序を決定する手段である。
【００２４】
選局部１０８は、選局に関するリモコン情報９０４を受信した際、前記ザッピングリスト９０６に従った選局制御情報９０７を受信部１０１に出す。例えば、視聴者がリモコン２０のＵｐ／Ｄｏｗｎキー４０１によるザッピングを行なった場合、選局部１０８は、受信部１０１に対して、チャンネル番号順の選局を依頼するのでなく、ザッピングリスト９０６に基づいたユーザ嗜好度の高い番組が放映されているチャンネルへの選局を依頼する。選局部１０８は、同時に、ユーザ履歴判断部１１１に対しても、上記選局の情報を送る。ユーザ履歴判断部１１１は、通常は、リモコン情報９０４と番組関連情報９０２からユーザ履歴情報９０３を生成するが、選局部１０８からの選局情報があった場合は、前記選局の情報と番組関連情報を基に、ユーザ履歴情報９０３を生成する。
【００２５】
番組判定部１０６は、現在放映中の番組の映像が、番組内容を写しているのか否かの判定を行なう。判定方法は、番組関連情報９０２中に含まれる番組シーン情報を利用する。番組判定部１０６は、番組関連情報９０２から現在、表示部１０５に提示されている映像に該当する番組シーン情報を特定し、取得する。その後、取得した番組シーン情報から、該当する映像がその番組の内容を写しているか否か（つまり、該当する映像が番組を構成する映像であるか否か）、を示す情報を抽出することで、その判定を行なう。
【００２６】
番組情報合成部１１４は、指定された番組に関する情報を蓄積部１０７に蓄積されてい
る番組関連情報９０２から取得した後、表示部１０５にて表示可能な文字図形情報を作成する。また、その後、画面合成部１０４に対して、前記情報を他の動画上へ合成して出力するよう依頼を出す。なお、番組情報合成部１１４は、必要に応じてリスト生成部１０９より指定された番組の推薦理由（リスト中で上位にある理由）を取得して、上記同様に表示可能な文字図形情報を作成し、画面合成部１０４に合成出力するよう依頼を出す。
【００２７】
次に、上記受信装置１０によるチャンネル選択処理（信号出力方法）について説明を行なう。図４にリモコン２０のＵｐ／Ｄｏｗｎキー４０１押下を連続的に行なった場合（つまり、ザッピング操作を行なった場合）の画面遷移の様子を示す。ここでは、視聴者は、最初にチャンネル番号１の音楽番組の映像２００を視聴している場合を想定している。この場合、視聴者が、リモコン２０のＤｏｗｎキー（もしくはＵｐキー）を押すと、チャンネル番号２の映像２０１、チャンネル番号３の映像２０２と遷移していく。受信装置によっては、映像が映らないチャンネルは自動的に飛ばされる場合があるが、基本的にはチャンネル番号順の選局が行われる。次に図５に視聴者の嗜好情報に基づいた選局の様子を示す。ここでも前記と同様のリモコン操作を行なっているが、チャンネル番号順の選局ではなく、視聴者の嗜好度の高い順の選局となるため、選択されるチャンネルはチャンネル番号順ではなく、不規則となる。図５では、視聴者が、チャンネル番号１の番組の映像２００を視聴中に、Ｕｐ／Ｄｏｗｎキー４０１中のＤｏｗｎキー（もしくはＵｐキー）を押すと、チャンネル番号３の映像２０２、チャンネル番号４２の映像２０４と遷移していく。
【００２８】
以下では、図５に示した視聴者の嗜好情報に基づいたザッピング処理の説明を、図６、図７及び図８を使用して行なう。
【００２９】
図６は、受信装置１０の起動から最初の番組を提示するまでの処理フローである。視聴者が受信装置１０を起動すると、受信装置１０は、モードの確認を行なう（図６、ステップＳ２０１）。モードは、Ｕｐ／Ｄｏｗｎキー４０１押下によるザッピング時の選局順の違いなどによって複数存在する。その内の一つは、通常のチャンネル番号順の選局モードであり、また、一つは、視聴者の嗜好度の高い順の選局モードとなる。ここでモードが後者の場合、受信装置１０中のリスト生成部１０９は、ユーザプロファイル生成部１１０からユーザプロファイルを、また、蓄積部１０７から番組関連情報９０２を取得し、ザッピングリスト９０６の作成を行なう（図６、ステップＳ２０２）。リストは、番組関連情報９０２から、該当する番組群を抽出した後、抽出した前記番組群を、ユーザプロファイルに基づいて視聴者の嗜好度の高い順に並べることで作成されていく。リストを作成する上で対象となる番組は、現在放映中の番組の他、数分後に開始予定の番組を含んでも良い。例えば、番組は１７：００や１７：３０など、きりの良い時間から開始される場合が多いが、視聴者が１６：５６に受信装置１０を起動させた場合、その時点で放映されている番組の他、数分後に開始予定（ここでは１７：００）の番組もリストを作成する上の対象としてもよい。ただし、視聴者が前記リストに従った選局を行う際、数分後に開始予定の番組のチャンネルを選局した場合には、視聴者に対して、前記該当する番組がまだ開始されていない旨を通知する。通知方法として、数分後に開始される番組の番組名を、表示画面上に表示しても良い。更に加えて、前記番組の番組内容やジャンル等の詳細な情報も表示しても良い。
【００３０】
図９にザッピングリスト９０６の例を示す。ザッピングリスト９０６中には、選局順位、チャンネル番号、番組名、開始時間、終了時間などが記載される。また、リスト上位の番組には番組推薦理由も記載される。番組推薦理由は、前記ステップＳ２０２にて抽出される。ユーザプロファイルには、所定のアルゴリズムによって、以前視聴した番組の番組関連情報９０２に含まれていた各情報毎に、視聴者の嗜好度に応じた度数が割り当てられている。そのため、ステップＳ２０２にて蓄積部１０７から取得した番組関連情報９０２の内、この度数の高い情報を含む番組ほどリストの上位に位置することになる。ステップ
Ｓ２０２では、前記度数の高い情報が、リスト内の各番組毎に、前記番組推薦理由として格納される。
【００３１】
なお、ここでは、ユーザプロファイルはあらかじめ生成されているものとしたが、受信装置１０の起動時に生成される場合もある。この場合は、ユーザプロファイル生成部１１０がユーザプロファイルを生成した後に、リスト生成部１０９によって、前記ユーザプロファイルの取得がなされる事となる。ステップＳ２０２にてザッピングリスト９０６を作成した後、受信装置１０中の選局部１０８は、最初に提示する番組への選局を受信部１０１に指示する（図６、ステップＳ２０３）。最初に提示する番組は、前回までに視聴していた番組でも良い。または、ザッピングリスト９０６に記載されている番組中、もっとも順位の高い番組でも良い。ただし、後者の場合、選局部１０８は、受信部１０１に選局依頼を出す前に、リスト生成部１０９からザッピングリスト９０６を取得しておく必要がある。ステップＳ２０３後、受信装置１０はリモコン情報９０４の入力待ちとなる（図７、ステップＳ２０４）。ステップＳ２０４にてリモコン情報９０４の入力が一定期間ない場合、受信装置１０は、ザッピングリスト９０６の更新判断を行なう（図７、ステップＳ２０７）。更新は、リスト中の一つの番組が終了した時点（もしくは終了間近）で行われる（図７、ステップＳ２０８）。図９のリスト例では、『終了時間』の項目に記述された時間帯にリストの更新が行われる。この場合、更新時（もしくは更新時の数分後）に新たに始まる番組を含めた形でザッピングリスト９０６が生成される。また、ステップＳ２０７では、ユーザプロファイル生成部１１０に対して、ユーザプロファイルが更新されているか否かの確認を行なう。ユーザプロファイルが更新されている場合、上記の更新タイミングとは別に、ザッピングリスト９０６の更新を行なう（図７、ステップＳ２０８）。この更新以後、ザッピングリスト９０６の更新には、前記更新されたユーザプロファイルを使用する。ステップＳ２０７にて、ザッピングリスト９０６の更新を行わなかった場合、もしくはステップＳ２０８にて、ザッピングリスト９０６の更新を行なった後、再度ステップＳ２０４に戻り、リモコン情報９０４の入力待ちとなる。ステップＳ２０４にて視聴者からのリモコン入力があった場合、つまり、リモコン情報９０４をリモコン入力部１１２が受信した場合、リモコン入力部１１２は、それがＵｐ／Ｄｏｗｎキー４０１押下による情報か否かの判定を行なう（図７、ステップＳ２０５）。Ｕｐ／Ｄｏｗｎキー４０１押下による情報でない場合は、それが受信装置１０の終了依頼か否かの判定を行なう（図７、ステップＳ２０６）。ここで受信装置１０の終了依頼である場合、受信装置１０は終了する前に、前記ザッピングリスト９０６を破棄し、また、ユーザ履歴情報９０３を更新し蓄積部１０７に蓄積する。ステップＳ２０６にて受信装置１０の終了依頼でない場合は、所定の処理を行なった後、再度ステップＳ２０４に戻り、リモコン情報９０４の入力待ちとなる。ステップＳ２０５にて、リモコン情報９０４がＵｐ／Ｄｏｗｎキー４０１押下による情報である場合、リモコン入力部１１２は、リモコン情報９０４を選局部１０８に送信する。リモコン情報９０４を受信した選局部１０８は、リスト生成部１０９からザッピングリスト９０６を取得し（図８、ステップＳ２０９）、該当する番組を特定した後、受信部１０１に対して選局依頼を行なう（図８、ステップＳ２１０）。その後、再度ステップＳ２０４に戻り、リモコン情報９０４の入力待ちとなる。視聴者が、ザッピング操作を行なう場合、図７のステップＳ２０４から図８のステップＳ２１０までの、一連の処理を繰り返すこととなる。
【００３２】
次に、上記視聴者の嗜好情報に基づいた選局処理中に、番組を構成する映像ではない映像（たとえば、ＣＭ）が流れている場合の処理を説明する。図１０に示したように、ザッピング中にＣＭが流れているチャンネルの映像２０５が表示された場合、視聴者は番組内容の把握が困難となる。そのため、本実施の形態では、図１１に示したように、ＣＭ映像が流れている場合は、番組の内容説明及び推薦理由などの他の映像２０６を動的に画面内部に挿入する。ここで推薦理由は、より推薦度の高い番組のみに付加されることになる。番組の内容説明とは、番組説明の他、ジャンルや出演者、番組放映時間などが含まれる。
以下では本処理について、図６、図７及び図１２を使用して説明する。
【００３３】
図６で示した受信装置１０の起動時の処理（ステップＳ２０１〜ステップＳ２０３）、及び図７のリモコン情報９０４の入力待ちの処理（ステップＳ２０４）までは、上記処理と同様となる。ただし、ステップＳ２０１のモード確認にて、選択されるモードは、視聴者の嗜好度の高い順の選局、かつＣＭ判定処理が有効になっているモードとなる。
【００３４】
ステップＳ２０４にてリモコン情報９０４が入力され、それがＵｐ／Ｄｏｗｎキー４０１押下による情報と判断されると、リモコン入力部１１２は、リモコン情報９０４を選局部１０８に送信する（図７、ステップＳ２０５）。リモコン情報９０４を受信した選局部１０８は、リスト生成部１０９からザッピングリスト９０６を取得する（図１２、ステップＳ２１１）。その後、取得したザッピングリスト９０６より該当する番組を特定する（選択工程）と、番組判定部１０６に対して、前記該当する番組がＣＭ中か否かの問い合わせを行なう（図１２、ステップＳ２１２）。前記問い合わせを受けた番組判定部１０６は、蓄積部１０７に蓄積されている番組関連情報９０２中の番組シーン情報を取得し、該当する番組がＣＭ中か否かの判定を行なう（判定工程）。ステップＳ２１２にてＣＭ中でないと判定された場合は、上記と同様に、受信部１０１に対して該当する番組への選局依頼を行なう（図１２、ステップＳ２１３）。その後、ステップＳ２１３が終了した時点で、再度ステップＳ２０４に戻り、リモコン情報９０４の入力待ちとなる。ステップＳ２１２にて該当する番組がＣＭ中と判定された場合（すなわち、選択されたチャンネルの映像が番組を構成する映像ではない映像であると特定された場合）は、選局部１０８は、番組情報合成部１１４に対して、選択されたチャンネルで出力されている番組もしくは選択されたチャンネルで出力される予定の番組に関する情報を含む他の映像を表示するための映像信号を出力するよう依頼を出す。本実施形態では、選局部１０８は、番組情報及び推薦理由をチャンネルの映像（ＣＭ）と合成させて出力するよう依頼を出す。前記依頼を受けた番組情報合成部１１４は、蓄積部１０７に蓄積されている番組関連情報９０２から、該当する番組の番組情報を抽出する（図１２、ステップＳ２１４）。また同様にリスト生成部１０９よりザッピングリスト９０６中に記述されている推薦理由を取得する（図１２、ステップＳ２１５）。ここでは、蓄積部１０７及びリスト生成部１０９が、選択されたチャンネルで出力されている番組もしくは選択されたチャンネルで出力される予定の番組に関する情報を保持する番組関連情報保持部を構成する。その後、選局部１０８は、受信部１０１に対して該当する番組への選局依頼を行ない、受信部１０１は、前述依頼された番組の受信を行なう（図１２、ステップＳ２１６）。その後、ステップＳ２１７にて、画面合成部１０４は、前記受信部１０１からの映像上に、番組情報合成部１１４からの番組の内容説明及び推薦理由を記した文字図形情報を合成した映像信号を生成し、その映像信号を表示部１０５に出力する（出力工程）。番組の内容説明及び推薦理由は、ある一定時間後に自動的に非表示にされてもよいし、視聴者によって非表示にされても良い。その後、ステップＳ２１７が終了した時点で、再度ステップＳ２０４に戻り、リモコン情報９０４の入力待ちとなる。
【００３５】
上記出力工程では、選択されたチャンネルの映像が番組を構成する映像のときに該映像が表示される表示領域と同じ表示領域の少なくとも一部に、他の映像（本実施形態では、番組の内容説明及び推薦理由を記した文字図形情報）を表示するような映像信号が出力される。たとえば、図１１の例では、番組を構成する映像２００等の表示領域は画面全体であり、他の映像２０６はその表示領域（画面全体）の一部（中央部分）に表示されている。あるいは、図１３の例のように、マルチ画面表示により、番組を構成する映像が子画面２０７に表示される場合（つまり、子画面２０７の中でザッピングが行われる場合）には、他の映像２０８はその子画面２０７の一部に表示される。マルチ画面表示においては、子画面２０７の外の表示領域（親画面など）２０９に現在視聴中の番組の映像などが表示されていることが多い。他の映像２０８を子画面２０７の少なくとも一部に表示するよう
にすれば、他の映像２０８によって子画面２０７の外の表示領域２０９に表示されている重要な映像の視聴が妨げられることがない。
【００３６】
本実施の形態によれば、視聴者の嗜好度の高い順にザッピングを行うチャンネル選択処理において、選択されたチャンネルの映像がＣＭ映像である場合に、視聴者に対して番組内容の説明が動的に表示される。よって、視聴者は、ＣＭが終了するのを待つ必要もなく、また手動で番組説明を表示させる必要もなく、短時間に番組の内容を確認することができる。更に、番組内容の説明と同時に視聴者に推薦理由を示すことができるため、視聴者は、番組に対する嗜好の度合いをより判断しやすくなる。
【００３７】
なお、ここでは番組を構成する映像ではない映像として、ＣＭ映像を挙げて説明したが、これに限らず、放映不能を示す画面やテストパターンなどの非番組映像でも、上記と同様の処理を行う事が出来、また同様の効果を得る事ができる。
【００３８】
また、番組判定部１０６による判定処理は、本実施の形態では、番組シーン情報から得られる情報により判定するとしたが、これに限らず、番組コンテンツ９０１の映像や音声などから直接番組内容を判定するなど、他の判定処理を用いても良い。例えば、モノラルとステレオの音声情報の切り替わりを、番組内容の切り替わりと見なして、前記判定処理に用いても良い。
【００３９】
（第２の実施の形態）
図１４は、本発明の第２の実施の形態に係る受信装置１０の構成を示すブロック図である。
【００４０】
第１の実施形態と共通の構成については同様の符号を用いて説明を省略し、以下では差異部分のみ述べる。本装置では、受信部１０１は２つの番組の同時受信が可能となっている。分離部１０２は、受信部１０１を通して受信した多重化された放送データを分離した後、表示用の番組コンテンツ９０１を復号部１０３へ送る。一方、分離部１０２は、番組コンテンツ９０１から分離した番組関連情報９０２を蓄積部１０７へ送る。また同時に、蓄積用の番組コンテンツ９０１（以下、蓄積コンテンツ９０９とする）も蓄積部１０７へ送る。ここで蓄積部１０７は、ハードディスクや半導体メモリを想定しているが、それらに限られない。図１５に、蓄積部１０７に格納される各種情報と、それを格納する各部との関係を示す。第１の実施形態と比較すると、新たに蓄積コンテンツ９０９が蓄積部１０７に格納される。なお、蓄積部１０７は、前記蓄積コンテンツ９０９と、それ以外の情報とをそれぞれ異なる記憶媒体に蓄積するために、二つ以上の異なる記憶媒体で構成されていることもありえる。ここでは、蓄積部１０７が、番組の映像を録画する録画部を構成する。
【００４１】
復号部１０３は、前記分離部１０２によって分離された番組コンテンツ９０１の復号を行ない、そのうちの動画情報を画面合成部１０４に渡す。また、番組コンテンツ９０１中の音声情報を不図示の音声出力部に渡す。また同様に、蓄積部１０７に蓄積された蓄積コンテンツ９０９の復号も行ない、それぞれの復号結果を画面合成部１０４、及び音声出力部に渡す。画面合成部１０４は、復号部１０３から受け取った前記動画情報が二つ以上の場合は、その合成や切替を行なう。
【００４２】
蓄積・再生制御部１１５は、蓄積部１０７に蓄積された蓄積コンテンツ９０９の蓄積と再生の制御を行なう。蓄積コンテンツ９０９の蓄積は、受信装置１０起動時にリスト生成部１０９がザッピングリスト９０６を作成した時点で、前記リストに従って自動的に行われる。蓄積コンテンツ９０９の再生は、視聴者がリモコン２０を介して再生の指示を送るか、後述の選局部１０８による再生依頼によって行われる。蓄積・再生制御部１１５は、
前述蓄積コンテンツ９０９の再生を行なう場合、指定された蓄積コンテンツ９０９の復号を復号部１０３に依頼する。また、番組コンテンツ９０１と合成して出力する必要がある場合には、画面合成部１０４に対して、合成に必要となる制御情報を出す。また、蓄積・再生制御部１１５は、蓄積コンテンツ９０９の管理を行ない、現在放映中の番組と蓄積コンテンツ９０９の対応を把握している。更に、番組が終了し、ザッピングリスト９０６が更新された時点で、不要となった番組の蓄積コンテンツ９０９を自動的に消去する。
【００４３】
リモコン入力部１１２、ユーザ履歴判断部１１１、ユーザプロファイル生成部１１０、リスト生成部１０９、選局部１０８、及び番組判定部１０６は、第１の実施の形態と同様に構成される。
【００４４】
視聴者は、番組を視聴する際の操作手段としてリモコン２０を使用する。リモコン２０には、第１の実施の形態と同様の構成に加え、蓄積コンテンツ９０９の再生を行なうために必要なリモコンキーが付加されている。
【００４５】
次に、本実施の形態における、上記受信装置１０のチャンネル選択処理について説明を行なう。リモコン２０のＵｐ／Ｄｏｗｎキー４０１押下を連続的に行なった時の画面遷移の様子は、第１の実施の形態と同様となる（図４参照）。本実施の形態では、このような視聴者の嗜好情報に基づいたザッピング処理中に、番組を構成する映像ではない映像（ＣＭ映像など）のチャンネルが表れた場合の提示の様子を、図１６に示す。ここでは、選択されたチャンネルの映像がＣＭ映像２０５と判断された場合、その選択されたチャンネルで出力されている番組をあらかじめ蓄積（録画）しておいた映像２１０が、ＣＭ映像２０５上に合成表示される。あらかじめ蓄積しておいた前記映像２１０は、番組を構成する映像である。なお、この場合、蓄積コンテンツ９０９の映像２１０上にＣＭ映像２０５を子画面として表示させても良い。また、蓄積コンテンツ９０９の映像２０５のみを表示しても良い。以下では、本処理について、図１７、図１８、及び図１９を使用して説明する。
【００４６】
図１７は、受信装置１０の起動から最初の番組を提示するまでの処理フローである。視聴者が受信装置１０を起動すると、受信装置１０は、モードの確認を行なう（図１７、ステップＳ３０１）。モードは、Ｕｐ／Ｄｏｗｎキー４０１押下によるザッピング時の選局順の違いや、ＣＭ判定処理が有効か否かによって複数存在する。ここでは、視聴者の嗜好度の高い順の選局、かつＣＭ判定処理が有効になっているモードについて説明する。ステップＳ３０１でモードの確認を行なうと、ステップＳ３０２にて、受信装置１０中のリスト生成部１０９は、ユーザプロファイル生成部１１０からユーザプロファイルを、また、蓄積部１０７から番組関連情報９０２を取得し、ザッピングリスト９０６の作成を行なう。リストは、番組関連情報９０２から、該当する番組群を抽出した後、抽出した前記番組群を、ユーザプロファイルに基づいて視聴者の嗜好度の高い順に並べることで作成していく。リストを作成する上で対象となる番組は、現在放映中の番組の他、数分後に開始予定の番組を含んでも良い。ザッピングリスト９０６の形式は第１の実施の形態と同様である（図９参照）。その後、受信装置１０は、前記作成したリストに従った順次録画を開始する（図１７、ステップＳ３０３）。順次録画とは、ザッピングリスト９０６の上位に位置する番組群を、ある期間ずつ順次録画していくものである。録画対象となる番組の数と、各番組の録画期間は、視聴者によって設定される。ステップＳ３０３にて順次録画処理が開始されると、選局部１０８は、最初に提示する番組の選局を受信部１０１に指示する（図１７、ステップＳ３０４）。この後、受信装置１０はリモコン情報９０４の入力待ちとなる。
【００４７】
以下で順次録画の処理を説明する。まず、蓄積・再生制御部１１５は、リスト生成部１０９からザッピングリスト９０６を取得し、リスト中で最初に録画すべき番組を特定する（図１７、ステップＳ３０５）。通常、最初はリスト上最も上位に位置する番組が選ばれ
る。それ以後は、リスト順に番組が選ばれていくが、リストの更新などが生じ、リスト中の順番に変更が生じた場合には、再度リストの最初に戻り、未録画の番組がある場合は、優先的にそれが選ばれることになる。その後、番組判定部１０６に対して、前記選択した番組が、ＣＭ中か否かの問い合わせを行う（図１７、ステップＳ３０６）。前記問い合わせを受けた番組判定部１０６は、蓄積部１０７に蓄積されている番組関連情報９０２中の番組シーン情報を取得し、該当する番組がＣＭ中か否かの判定を行う。ステップＳ３０６にてＣＭ中と判定された場合は、再度ステップＳ３０５に戻り、次に録画すべき番組を特定する。ステップＳ３０６にてＣＭ中でないと判定された場合、蓄積・再生制御部１１５は、受信部１０１に対して該当する番組への選局依頼を行なうと同時に、分離部１０２に対して、出力先を蓄積部１０７にするよう依頼を出すことで録画を開始する（図１７、ステップＳ３０７）。ステップＳ３０７で開始された録画は、一定期間を超えると自動的に終了し、再度ステップＳ３０５に戻り、次に録画すべき番組を特定する。上記ステップＳ３０５からステップＳ３０７までの一連の順次録画処理は、視聴者からの明示的な終了依頼がない限り繰り返される。
【００４８】
図１８にリモコン情報９０４の入力待ちとなった以降の処理を示した。受信装置１０は、ステップＳ３０８にてリモコン情報９０４の入力待ちとなる（図１８、ステップＳ３０８）。前記情報の入力が一定期間ない場合、受信装置１０は、ザッピングリスト９０６の更新判断を行なう（図１８、ステップＳ３１２）。更新は、リスト中の一つの番組が終了した時点（もしくは終了間近）で行われる（図１８、ステップＳ３１３）。また、ステップＳ３１２では、ユーザプロファイル生成部１１０に対して、ユーザプロファイルが更新されているか否かの確認を行なう。ユーザプロファイルが更新されている場合、上記の更新タイミングとは別に、ザッピングリスト９０６の更新を行なう（図１８、ステップＳ３１３）。この更新以後、ザッピングリスト９０６の更新には、前記更新されたユーザプロファイルを使用する。ステップＳ３１２にて、ザッピングリスト９０６の更新を行わなかった場合、もしくはステップＳ３１３にて、ザッピングリスト９０６の更新を行なった後、再度ステップＳ３０８に戻り、リモコン情報９０４の入力待ちとなる。ステップＳ３０８にて視聴者からのリモコン入力があった場合、つまり、リモコン情報９０４をリモコン入力部１１２が受信した場合、リモコン入力部１１２は、それが選局に関する情報か否かの判定を行なう（図１８、ステップＳ３０９）。選局に関する情報でない場合は、それが受信装置１０の終了依頼か否かの判定を行なう（図１８、ステップＳ３１０）。ここで受信装置１０の終了依頼である場合、受信装置１０は終了する前に、前記ザッピングリスト９０６及び、ユーザプロファイルを破棄し、また、ユーザ履歴情報９０３を更新し蓄積部１０７に蓄積する。同時に、順次録画を終了させ、それまでに録画した蓄積コンテンツ９０９を消去する（図１８、ステップＳ３１１）。蓄積コンテンツ９０９は、視聴者の設定によって終了後も保存することができても良い。ステップＳ３１０にて受信装置１０の終了依頼でない場合は、所定の処理を行なった後、再度ステップＳ３０８に戻り、リモコン情報９０４の入力待ちとなる。
【００４９】
ステップＳ３０９にて、リモコン情報９０４が選局に関する情報である場合、リモコン入力部１１２は、リモコン情報９０４を選局部１０８に送信する。リモコン情報９０４を受信した選局部１０８は、リスト生成部１０９からザッピングリスト９０６を取得する（図１９、ステップＳ３１４）。その後、取得したザッピングリスト９０６から該当する番組を特定する（選択工程）と、番組判定部１０６に対して、前記該当する番組がＣＭ中か否かの問い合わせを行なう（図１９、ステップＳ３１５）。ステップＳ３１５にてＣＭ中でないと判定された場合は、受信部１０１に対して該当する番組への選局依頼を行なう（図１９、ステップＳ３１６）。その後、再度ステップＳ３０８に戻り、リモコン情報９０４の入力待ちとなる。ステップＳ３１５にて該当する番組がＣＭ中と判定された場合（すなわち、選択されたチャンネルの映像が番組を構成する映像ではない映像であると特定された場合）は、蓄積・再生制御部１１５に対して、該当する番組の蓄積コンテンツ９０９
が存在するか否かの確認を行なう（図１９、ステップ３１７、録画確認工程）。この時点で該当する番組の蓄積コンテンツ９０９が蓄積部１０７にない場合、ステップＳ３１６に移り、選局部１０８は、受信部１０１に対して該当する番組への選局依頼を行なう。この際、第１の実施の形態で示したように、前記該当する番組に関する番組情報を、同時に提示しても良い。一方、この時点で既に、蓄積コンテンツ９０９が存在する場合は、上記と同様に、選局部１０８は、受信部１０１に対して該当する番組への選局依頼を行なう（図１９、ステップＳ３１８）と共に、蓄積・再生制御部１１５に前記蓄積コンテンツ９０９を、該当する番組の動画と合成して出すよう依頼を出す（図１９、ステップＳ３１９）。蓄積・再生制御部１１５は、前記依頼を受けると、前記該当する番組の蓄積コンテンツ９０９を蓄積部１０７から取得し、復号部１０３に渡し復号を行なう。また、画面合成部１０４は、蓄積・再生制御部１１５の指示により、所定の設定で前記蓄積コンテンツ９０９を、対応する番組コンテンツ９０１と合成した映像信号を生成し、その映像信号を表示部１０５に出力する（出力工程）。すなわち、本実施形態では、選択されたチャンネルの映像が番組を構成する映像ではない映像の場合に、選択されたチャンネルで出力されている番組に関する情報を含む他の映像として、当該番組の録画映像を表示するための映像信号が出力されるのである。なお、蓄積コンテンツ９０９の再生時間は、ＣＭの放映時間以下の場合がある。この場合、蓄積コンテンツ９０９は繰り返し再生されても良いし、一回きりで終了しても良い。その後、再度ステップＳ３０８に戻り、リモコン情報９０４の入力待ちとなる。視聴者が、ザッピング操作を行なう場合、図１８のステップＳ３０８から図１９のステップＳ３１６、もしくはステップＳ３１９までの、一連の処理を繰り返すこととなる。
【００５０】
本実施の形態によれば、視聴者の嗜好度の高い順にザッピングを行うチャンネル選択処理において、選択されたチャンネルの映像がＣＭ映像である場合に、番組内容の録画シーンを動的に表示することで、視聴者は、第１の実施形態と同様の効果を得ることができる。また、録画した番組映像が十分な長さの場合、従来のザッピングでは把握が難しかった、それまでのあらすじや経緯をより容易に把握することができるようになる。更に、倍速再生等の再生機能を併用することで、例えば、長時間の番組や、コーナー毎にテーマが変わる番組の把握もより容易に行なうことができる。
【００５１】
なお、ここでは番組を構成する映像ではない映像として、ＣＭ映像を挙げて説明したが、第１の実施の形態と同様、他の非番組映像でもかまわない。
【００５２】
また、番組判定部１０６による判定処理も、本実施の形態では、第１の実施の形態と同様、番組シーン情報から得られる情報より判定するとしたが、これに限らず、他の判定処理を用いても良い。例えば、モノラルとステレオの音声情報の切り替わりを、番組内容の切り替わりと見なして、前記判定処理に用いても良い。
【００５３】
更に、ＣＭ等の非番組映像の表示中に、番組内容を示す録画映像を合成して出すと同時に、第１の実施の形態で示した番組の内容説明や推薦理由などを同時に提示してもよい。同時に提示する場合の提示例を図２０に示した。この場合、子画面が録画映像２１０となる。内容説明や推薦理由などの映像２０６は、録画映像２１０の外側に提示される。なお、番組内容説明等の映像２０６は録画映像２１０と重ねて表示することもできるが、この場合は録画映像２１０が認識できるようにＯＳＤとして半透明表示するとよい。
【図面の簡単な説明】
【００５４】
【図１】本発明の第１及び第２の実施の形態に係る受信装置１０の構成を示すブロック図である。
【図２】本発明の第１、第２の実施の形態に係る蓄積部１０７に格納される各種情報と、それを格納する各部との関係を示す図である。
【図３】本発明の第１、第２及び第３の実施の形態に係るリモコン２０上のキーの構成例である。
【図４】リモコン２０のＵｐ／Ｄｏｗｎキー押下時の、チャンネル番号順の画面遷移の提示例である。
【図５】リモコン２０のＵｐ／Ｄｏｗｎキー押下時の、視聴者の嗜好度の高い番組順の画面遷移の提示例である。
【図６】本発明の第１の実施の形態に係るチャンネル選択処理のフロー図である。
【図７】本発明の第１の実施の形態に係るチャンネル選択処理のフロー図である。
【図８】本発明の第１の実施の形態に係るチャンネル選択処理のフロー図である。
【図９】本発明の実施の形態に係るザッピングリスト例である。
【図１０】図５において、番組の一部がＣＭであった場合の提示例である。
【図１１】本発明の第１の実施の形態に係るチャンネル選択処理における提示例である。
【図１２】本発明の第１の実施の形態に係る選局処理のフロー図である。
【図１３】本発明の第１の実施の形態に係るチャンネル選択処理における別の提示例である。
【図１４】本発明の第２の実施の形態に係る受信装置１０の構成を示すブロック図である。
【図１５】本発明の第２の実施の形態に係る蓄積部１０７に格納される各種情報と、それを格納する各部との関係を示す図である。
【図１６】本発明の第２の実施の形態に係るチャンネル選択処理における提示例である。
【図１７】本発明の第２の実施の形態に係るチャンネル選択処理のフロー図である。
【図１８】本発明の第２の実施の形態に係るチャンネル選択処理のフロー図である。
【図１９】本発明の第２の実施の形態に係るチャンネル選択処理のフロー図である。
【図２０】本発明の第２の実施の形態に係るチャンネル選択処理における提示例である。
【符号の説明】
【００５５】
１０  受信装置
２０  リモコン
２０Ａ  選局切替キー
１０１  受信部
１０２  分離部
１０３  復号部
１０４  画面合成部
１０５  表示部
１０６  番組判定部
１０７  蓄積部
１０８  選局部
１０９  リスト生成部
１１０  ユーザプロファイル生成部
１１１  ユーザ履歴判断部
１１２  リモコン入力部
１１３  モデム
１１４  番組情報合成部
１１５  蓄積・再生制御部
２００  チャンネル番号１の映像
２０１  チャンネル番号２の映像
２０２  チャンネル番号３の映像
２０４  チャンネル番号４２の映像
２０５  ＣＭ映像
２０６  他の映像
２０７  子画面
２０８  他の映像
２０９  子画面の外の表示領域
２１０  録画映像
４０１  Ｕｐ／Ｄｏｗｎキー
９０１  番組コンテンツ
９０２  番組関連情報
９０３  ユーザ履歴情報
９０４  リモコン情報
９０６  ザッピングリスト
９０７  選局制御情報
９０９  蓄積コンテンツ
【図１】
2005210686.tif 000003
【図２】
2005210686.tif 000004
【図３】
2005210686.tif 000005
【図４】
2005210686.tif 000006
【図５】
2005210686.tif 000007
【図６】
2005210686.tif 000008
【図７】
2005210686.tif 000009
【図８】
2005210686.tif 000010
【図９】
2005210686.tif 000011
【図１０】
2005210686.tif 000012
【図１１】
2005210686.tif 000013
【図１２】
2005210686.tif 000014
【図１３】
2005210686.tif 000015
【図１４】
2005210686.tif 000016
【図１５】
2005210686.tif 000017
【図１６】
2005210686.tif 000018
【図１７】
2005210686.tif 000019
【図１８】
2005210686.tif 000020
【図１９】
2005210686.tif 000021
【図２０】
2005210686.tif 000022